(57)【要約】【課題】マグネットその他のグッズを簡便に、しかも高品位に製作することができるようなキットを提供する。【課題を解決するための手段】インク等を印刷可能な印刷面１２を有し、該印刷面１２に印刷したインク等が反印刷面側に視覚的に表れるものであり、印刷の対象となる印刷対象領域１Ｒを予め定めておくとともに該印刷対象領域１Ｒの境界近傍に沿った切断を容易とする切断支援線を形成した印刷用シート１と、前記印刷対象領域１Ｒと略同一形状をなし、所定の背景色を表出させており、接着力を備えて前記印刷面１２を貼り付け得る貼付面を有するグッズ本体とを具備してなるグッズ製作キットを構成した。【選択図】図４
2004045670.tif 000002
【特許請求の範囲】
【請求項１】
インク等を印刷可能な印刷面を有し、該印刷面に印刷したインク等が反印刷面側に視覚的に表れるものであり、印刷の対象となる印刷対象領域を予め定めておくとともに該印刷対象領域の一部若しくは全部を包含する切片に切断することを容易とする切断支援線を形成した印刷用シートと、
前記切片と略同一形状をなし、所定の背景色を表出させており、接着力を備えて前記切片の印刷面側を貼り合わせ得る貼付面を有するグッズ本体とを具備してなるグッズ製作キット。
【請求項２】
前記背景色が不透明な単色である請求項１記載のグッズ製作キット。
【請求項３】
前記背景色が白色である請求項２記載のグッズ製作キット。
【請求項４】
前記グッズ本体が、マグネットである請求項１、２又は３記載のグッズ製作キット。
【請求項５】
前記グッズ本体が、両面に接着剤を塗布した両面シールである請求項１、２又は３記載のグッズ製作キット。
【請求項６】
前記グッズ本体が、コースターである請求項１、２又は３記載のグッズ製作キット。
【請求項７】
前記グッズ本体が、バッジである請求項１、２又は３記載のグッズ製作キット。
【請求項８】
前記グッズ本体に設けた面板部の略全域を貼付面とした請求項１、２、３、４、５、６又は７記載のグッズ製作キット。
【請求項９】
請求項１、２、３、４、５、６、７又は８記載のグッズ製作キットとともに用いられるものであって、コンピュータを、少なくとも
印刷用シートに印刷すべき所望の画像の基となる原画像データより、印刷用シートに設定した印刷対象領域内に収まる画像データを生成する加工処理手段、及び、
前記加工処理手段が生成した画像データを用いて、前記印刷対象領域内に前記所望の画像の鏡像を印刷出力させる印刷出力手段
として機能させるプログラム。
【発明の詳細な説明】
【０００１】
【発明の属する技術分野】
本発明は、オリジナルのグッズを高品位に製作することができるような、グッズ製作キットに関する。
【０００２】
【従来の技術】
例えば、一般に普及しているインクジェットプリンタ等を使用して所望の画像を印刷可能なマグネットシートが既に知られている。このものは、表面が印刷用紙、裏面がマグネットである定形寸法（Ａ４等）をなすシート状体であり、ユーザの任意に応じた画像を表面に印刷した後はさみで適宜の形状にカットすることでオリジナルのマグネットを製作できるものである。
【０００３】
【発明が解決しようとする課題】
しかしながら、該マグネットシートより製作した完成品は、印刷のインクが表面に露出しているため、マグネットとして使用しているうちにインクが溶けて印刷した画像が汚れてしまいかねないという、耐久性の問題を有している。加えて、印刷工程を経たマグネットシートをはさみでカットする際、特に曲線を含む形状に美麗に切り抜くことは容易でない。従って、上記のマグネットシートを用いればオリジナルの品を製作可能ではあるものの、その品質は必ずしも高くなく、高級感にも欠けるものとなっていた。
【０００４】
以上の問題に鑑みて、本発明は、マグネットその他のグッズを簡便に、しかも高品位に製作することができるようなキットを提供することを目的とするものである。
【０００５】
【課題を解決するための手段】
上述した課題を解決すべく、本発明では、インク等を印刷可能な印刷面を有し、該印刷面に印刷したインク等が反印刷面側に視覚的に表れるものであり、印刷の対象となる印刷対象領域を予め定めておくとともに該印刷対象領域の一部若しくは全部を包含する切片に切断することを容易とする切断支援線を形成した印刷用シートと、前記切片と略同一形状をなし、所定の背景色を表出させており、接着力を備えて前記切片の印刷面側を貼り合わせ得る貼付面を有するグッズ本体とを具備してなるグッズ製作キットを構成した。
【０００６】
即ち、所望の画像の鏡像を前記印刷対象領域内に印刷し、切断支援線に沿って切り取ることで得られる印刷用シートの切片の印刷面とグッズ本体の貼付面とを貼り合わせて、グッズを製作することができるようにしたのである。但し、画像とは、文字、図形、イラスト、写真、ＣＧ等またはこれらの結合である。このようなものであれば、グッズの完成品において、印刷面に印刷した鏡像は正方向の画像として表れ、かつ印刷面に印刷したインク等が印刷用シート及びグッズ本体によって保護される。グッズ本体の貼付面に設定した背景色を印刷面側より透かすことで、印刷面に印刷した画像を美しく色鮮やかに表現できる。あるいは、背景色の設定によっては、印刷面に印刷した画像に対し＋αの視覚的効果を加えることも可能となる。ハーフカット、ミシン面その他の切断支援線を形成しておくことで、印刷用シートの切片の形状が複雑であるような場合にあっても美麗に切り取ることができる。他方、グッズ本体は、プリンタにかける必要がないから、予め所要の形状に成形しておくことが可能である。しかも、グッズ本体の貼付面に予め接着剤を塗布する等の手段により接着力を付与してあるので、印刷用シートの切片を手間なく貼り付けることができ、印刷用シートに形成した切断支援線の存在とも相まってグッズ製作の簡便性が大いに高まる。
【０００７】
以上より、該キットを用いることにより、一般的なプリンタを使用してグッズを簡便に、しかも高品位に製作することができる。なお、ここに言うグッズとは、いわゆる文房具、家庭用品、事務用品その他各種物品をおしなべて包含する概念である。グッズの具体的な態様は、グッズ本体の態様により定まる。グッズ本体に所定の機能（例えば、マグネットとしての機能）を付与しておけば、当該機能を発揮する実用品を製作可能となる。グッズ本体の貼付面に表出させている背景色は、明度が高く、彩度が低いものであることが望ましい。前記背景色は、単色であってもよく複数色であってもよい。背景色が模様、幾何形状あるいはイラスト等であることを妨げない。また、前記背景色は不透明であることが好ましい。
【０００８】
前記背景色が不透明な単色であれば、グッズ本体の貼付面が印刷用シートの印刷面に印刷した画像に対するキャンバスのように機能し、印刷画像を鮮明に表し得る。とりわけ、前記背景色は、印刷用シートの印刷面に印刷したインク等の発色を鮮やかにするような白色とすることが好適である。
【０００９】
前記グッズ本体の態様として、例えば、マグネット、両面に接着剤を塗布した両面シール、コースター、バッジ、その他を挙げることができる。
【００１０】
前記グッズ本体に設けた面板部の略全域を貼付面とすれば、印刷用シートとグッズ本体とを貼り合わせたときの一体感、統一感をもたらし、完成品の品位をより高めることができる。
【００１１】
該グッズ製作キットに対し、一般に普及しているコンピュータ、プリンタ等を使用して工程を実行することができる。よって、該グッズ製作キットとともに用いられるものとして、コンピュータを、印刷用シートに印刷すべき所望の画像の基となる原画像データより、印刷用シートに設定した印刷対象領域内に収まる画像データを生成する加工処理手段、及び、前記加工処理手段が生成した画像データを用いて、前記印刷対象領域内に前記所望の画像の鏡像を印刷出力させる印刷出力手段として機能させるプログラムを構成し、これをユーザに提供することが好ましい。
【００１２】
【発明の実施の形態】
以下、本発明の一実施形態を、図面を参照して説明する。本実施形態におけるグッズ製作キットは、所望の画像ＰＩを印刷する対象である印刷用シート１と、実用品としての所定の機能を発揮するグッズ本体とを具備してなる。
【００１３】
印刷用シート１は、図１に示すように、一般的なプリンタＰにかけることが可能であるような所定の寸法、厚みを有するシート状体である。印刷用シート１は、例えば、樹脂製の透明若しくは半透明の基体１１の一方の面にインク等を印刷することができるような加工処理を施し、当該面を印刷面１２としたものである。印刷面１２にインク等を印刷したとき、このインク等が反印刷面側に透けて見える。そして、画像ＰＩを印刷する対象となる領域である印刷対象領域１Ｒを予め定めておくとともに、該印刷対象領域１Ｒの一部若しくは全部を包含する切片１Ｆに切断することを容易とする、ハーフカット、ミシン面その他の切断支援線１Ｌを形成する。本実施形態では、印刷用シート１において複数箇所（図示例では、６箇所）に円形状、略方形状その他所定の形状をなす印刷対象領域１Ｒを設定し、該印刷対象領域１Ｒの境界近傍に切断支援線１Ｌを形成してある。なお、完成品の仕上がりを良好なものとするには、印刷対象領域１Ｒを切片１Ｆの形状よりも若干大きく設定しておき、切片１Ｆにおける印刷面１２全体に印刷が行われ得るようにしておくことが好ましい。
【００１４】
グッズ本体は、種々の態様のものが考えられる。図２（ａ）及び図２（ｂ）に示すものは、マグネットとしての機能を有するグッズ本体２の一例である。このものは、薄板状をなし磁性体を包含してマグネットとしての機能を発揮する基体２１の一方の面に所定の背景色を表出させる層を設けて、印刷用シート１の印刷面１２と貼り合わせる貼付面２２を構成したものである。背景色は、不透明な単色、特に白色としている。特に、本実施形態では、グッズ本体たるマグネット２の面板部の略全域を貼付面２２としている。さらに、貼付面２２上に予め接着剤を塗布しておくことにより、該貼付面２２に接着力を付与してある。上記のマグネット２は、図３に示すように、ちょうどシールのように必要に応じ台紙２Ｍより剥がして用いることができるものであることが好ましい。この場合、貼付面２２側を台紙２Ｍで被覆していることは言うまでもない。図示例では、台紙２Ｍより剥がしたマグネット２が印刷用シート１より切り取られる切片１Ｆの形状と略同一形状をなすように構成している。そして、該マグネット２の裏面の略全域を貼付面２２としてある。
【００１５】
該グッズ作成キットよりグッズを製作する手順に関して詳述する。ユーザは、グッズに印刷しようとする所望の画像ＰＩのデータを用意し、コンピュータＣを利用して印刷用シート１に設定した印刷対象領域１Ｒ内に画像ＰＩを収めるような処理を行い、プリンタＰを使用して画像ＰＩを印刷用シート１の印刷面１２、印刷対象領域１Ｒ内に印刷する。このとき、図４に示すように、グッズに印刷しようとする画像ＰＩの鏡像ＰＭを、印刷用シート１の印刷面１２に印刷する。この結果、印刷用シート１の反印刷面側から見ると、図５に示すように、印刷した画像ＰＩが正像として表れる。
【００１６】
しかる後、印刷用シート１より印刷対象領域１Ｒの一部若しくは全部を包含する切片１Ｆを切り取る。予め形成されている切断支援線１Ｌを利用すれば、切片１Ｆをきれいに切り取ることができる。そして、図６及び図７に示すように、切り取った印刷用シート１の切片１Ｆの印刷面１２と、グッズ本体たるマグネット２の貼付面２２とを貼り合わせることにより、所望の画像ＰＩを表しているグッズが完成する。
【００１７】
因みに、一般に普及しているコンピュータＣ、プリンタＰ等を使用して、グッズの製作工程を実行することができる。即ち、一般に普及しているコンピュータＣ、プリンタＰ等を使用して、印刷用シート１の印刷面１２に所望の画像ＰＩの鏡像ＰＭを印刷することができる。よって、該グッズ製作キットとともに用いられるものとして、コンピュータＣを、印刷用シート１に印刷すべき所望の画像ＰＩの基となる原画像データより印刷用シート１に設定した印刷対象領域１Ｒ内に収まる画像データを生成する加工処理手段Ｃ２、及び、前記加工処理手段Ｃ２が生成した画像データを用いて前記印刷対象領域１Ｒ内に所望の画像ＰＩの鏡像ＰＭを印刷出力させる印刷出力手段Ｃ３として機能させるプログラムを構成し、これをユーザに提供することが好ましい。
【００１８】
コンピュータＣは、図８に示すように、プロセッサＣａ、メインメモリＣｂ、ビデオカードＣｄ、ハードディスクドライブＣｅ、入出力インタフェースＣｆ等が、制御装置、即ち、システムコントローラＣｃ、Ｉ／ＯコントローラＣｇによって制御され連携して動作するものである。ビデオカードＣｄはグラフィクスを描画するための専用のハードウェアであり、ディスプレイＤが接続されて該ディスプレイＤ上に画像ＰＩの表示をすることができる。入出力インタフェースＣｆは、キーボードやマウスといった外部入力装置やプリンタＰ等を接続するためのものである。システムコントローラＣｃは、ＣＰＵＣａのプロセッサバス、メインメモリＣｂのメモリバス等の間に介在するものであって、ＰＣＩブリッジやメモリコントローラを内包している。Ｉ／ＯコントローラＣｇは、ＣＰＵＣａと入出力インタフェースＣｆに接続されている周辺機器との間のデータの授受を制御する。
【００１９】
プロセッサＣａによって実行されるべきプログラムは、通常、ハードディスクドライブＣｅに格納されており、プログラムの起動時にはハードディスクドライブＣｅからメインメモリＣｂに読み込まれ、ＣＰＵＣａによって解読される。そして、該プログラムに従い上記のハードウェア資源を作動して、少なくとも図９に示す加工処理手段Ｃ２、印刷出力手段Ｃ３としての機能を発揮するようにしている。上記に加え、プログラムは、下記原画像データ受付手段Ｃ１としての機能をも発揮し得るようなものであることが好ましい。
【００２０】
原画像データ受付手段Ｃ１は、ハードディスクドライブＣｅ、入出力インタフェースＣｆ等の機能を利用し、印刷用シート１に印刷すべき所望の画像ＰＩの基となる原画像データを受け付ける。受け付ける原画像データは、ハードディスクドライブＣｅその他の補助記憶装置に格納されているものであってもよく、入出力インタフェースＣｆを介して外部よりもたらされるものであってもよい。加工処理手段Ｃ２は、ソフトウェアを主体として構成され、前記原画像データ受付手段Ｃ１が受け付けた原画像データあるいはその他の原画像データより、印刷用シート１に設定した印刷対象領域１Ｒ内に収まる画像データを生成する。該加工処理手段Ｃ２は、原画像データの拡大、縮小、トリム、解像度の調整、等のうち少なくとも一の処理を実行可能とする。なお、画像データにさらなる処理、即ち、文字やイラストの記入、フィルタ処理その他各種処理を実行可能なものとしてもよい。印刷出力手段Ｃ３もまた、ソフトウェアを主体として構成され、前記加工処理手段Ｃ２が生成した画像データを用いて、印刷用シート１の印刷面１２に、予め設定されている印刷対象領域１Ｒ内に所望の画像ＰＩの鏡像ＰＭが印刷されるようにプリンタＰを（例えば、コンピュータＣにインストールされているプリンタドライバソフトウェアに命令を与えるという形で）制御する。該プログラムをユーザの利用に供すれば、ユーザの手を徒に煩わせることなく簡便に所望の画像ＰＩを印刷用シート１に印刷可能となる。
【００２１】
本実施形態によれば、インク等を印刷可能な印刷面１２を有し、該印刷面１２に印刷したインク等が反印刷面側に視覚的に表れるものであり、印刷の対象となる印刷対象領域１Ｒを予め定めておくとともに該印刷対象領域１Ｒの境界近傍に沿った切断を容易とする切断支援線１Ｌを形成した印刷用シート１と、印刷用シート１の切片１Ｆと略同一形状をなし、所定の背景色を表出させており、接着力を備えて切片１Ｆの印刷面１２側を貼り付け得る貼付面２２を有するグッズ本体たるマグネット２とを具備してなるマグネット２製作キットを構成したことにより、マグネット２の完成品において、印刷面１２に印刷した鏡像ＰＭは正方向の画像ＰＩとして表れ、かつ印刷面１２に印刷したインク等が印刷用シート１の基体１１及びマグネット２の基体２１により保護される。特に、印刷用シート１の表面、言い換えるならば反印刷面側の面が平滑で光沢を持つようなものであれば、つやがあり美しい仕上がりの高級感あふれる完成品を得ることができる。マグネット２の貼付面２２に設定した背景色を印刷面１２側より透かすことで、印刷面１２に印刷した画像ＰＩを美しく色鮮やかに表現できる。印刷対象領域１Ｒの境界にハーフカット、ミシン面その他の切断支援線１Ｌを形成しておくことで、印刷用シート１の切片１Ｆの形状が複雑であるような場合にあっても美麗に切り取ることができる。マグネット２の貼付面２２に予め接着剤を塗布する等の手段により接着力を付与してあるので、印刷用シート１の切片１Ｆを手間なく貼り付けることができ、印刷用シート１に形成した切断支援線１Ｌの存在とも相まってグッズ製作の簡便性が大いに高まる。これらの複合的な効果により、一般的なプリンタＰを使用して、オリジナルのマグネット２を簡便にかつ高品位に製作することが可能となる。
【００２２】
マグネット２の貼付面２２の背景色を不透明な単色としているため、印刷用シート１の印刷面１２に印刷した画像ＰＩを鮮明に表し得る。さらには、前記背景色を白色としたため、印刷用シート１の印刷面１２に印刷したインク等の発色を鮮やかにすることができる。
【００２３】
マグネット２に設けた面板部の略全域を貼付面２２とすれば、印刷用シート１とマグネット２とを貼り合わせたときの一体感、統一感をもたらし、完成品の品位をより高めることができる。特に当該例では、グッズ本体たるマグネット２が薄板状をなし、その平面視形状と印刷用シート１に設定した印刷対象領域１Ｒの形状、即ち印刷用シート１より切り取った切片１Ｆの形状とを略同一形状としてあるため、平面視完成品の表面の全域に画像ＰＩが表れることとなり好ましい。
【００２４】
加えて、該グッズ製作キットとともに用いられるものとして、コンピュータＣを、印刷用シート１に印刷すべき所望の画像ＰＩの基となる原画像データを受け付ける原画像データ受付手段Ｃ１、前記原画像データ受付手段Ｃ１が受け付けた原画像データより印刷用シート１に設定した印刷対象領域１Ｒ内に収まる画像データを生成する加工処理手段Ｃ２、及び、前記加工処理手段Ｃ２が生成した画像データを用いて前記印刷対象領域１Ｒ内に画像ＰＩの鏡像ＰＭを印刷出力させる印刷出力手段Ｃ３として機能させるプログラムを構成することにより、ユーザによるグッズ製作を支援することが可能となる。
【００２５】
なお、本発明は以上に詳述した実施形態に限られるものではない。特に、グッズ本体は、上述したマグネット２以外にも種々の態様が考えられる。図１０に示すものは、両面シール３をグッズ本体としたシール製作キットの例である。両面シール３は、面板部の略全域、即ち一方の面を貼付面３１として、所定の背景色を表出させるものとする。他方の面は、既存のシールと同様、塗布してある接着剤を図示しない台紙により被覆してある。そして、該両面シール３の貼付面３１と、画像ＰＩを印刷した印刷用シート１の切片１Ｆの印刷面１２とを貼り合わせることにより、オリジナルのシールを高品位に製作することができる。図１１に示すものは、バッジ４をグッズ本体としたバッジ製作キットの例であり、バッジの面板部の略全域を貼付面４１として、画像ＰＩを印刷した印刷用シート１の切片１Ｆを貼り付けてオリジナルのバッジを製作可能なものである。さらに、図１２に示すものは、コースター５をグッズ本体としたコースター製作キットの例である。コースター５は、その面板部の略全域を貼付面５２として、所定の背景色を表出させるものとする。因みに、図示例のコースター５は、周縁部を上向きに突出させた突縁５１を有しており、該突縁５１に包囲される面板部に印刷用シート１の切片１Ｆを貼り付けるようにしてあるため、印刷用シート１の切片１Ｆの側縁が好適に隠蔽されて仕上がりが美しくなるとともに貼り合わせの耐久性も向上する。
【００２６】
その他各部の具体的構成は上記実施形態には限られず、本発明の趣旨を逸脱しない範囲で種々変形が可能である。
【００２７】
【発明の効果】
以上に詳述した本発明によれば、マグネットその他のグッズを簡便に、しかも高品位に製作することが可能となる。
【図面の簡単な説明】
【図１】本発明の一実施形態における印刷用シートの斜視図。
【図２】同実施形態におけるグッズ本体の斜視図。
【図３】同斜視図。
【図４】同実施形態における印刷用シートを印刷面側より見た斜視図。
【図５】同実施形態における印刷用シートを反印刷面側より見た斜視図。
【図６】同実施形態におけるグッズの製造工程を説明する図。
【図７】印刷用シートの切片とグッズ本体とを貼り合わせた状態を模式的に示す図。
【図８】同実施形態におけるコンピュータシステムのハードウェア資源構成図。
【図９】同機能ブロック図。
【図１０】本発明の一変形例を示す図。
【図１１】本発明の一変形例を示す図。
【図１２】本発明の一変形例を示す図。
【符号の説明】
１…印刷用シート
１２…印刷面
１Ｆ…切片
２、３、４、５…グッズ本体
２２、３１、４１、５２…貼付面
【図１】
2004045670.tif 000003
【図２】
2004045670.tif 000004
【図３】
2004045670.tif 000005
【図４】
2004045670.tif 000006
【図５】
2004045670.tif 000007
【図６】
2004045670.tif 000008
【図７】
2004045670.tif 000009
【図８】
2004045670.tif 000010
【図９】
2004045670.tif 000011
【図１０】
2004045670.tif 000012
【図１１】
2004045670.tif 000013
【図１２】
2004045670.tif 000014